(57)【特許請求の範囲】
【請求項１】
複数の表示手段を備えるシステムであって、
前記システムに対する指示を入力する操作手段と、
複数の前記表示手段が通常モードにある状態で、前記操作手段が操作されないまま所定の時間が経過した場合、複数の前記表示手段を、前記通常モードから、前記通常モードよりも電力消費が少ない省電力モードに、順次移行させる制御手段と、
複数の前記表示手段が、前記省電力モードにある状態で、前記操作手段がタッチされた場合、前記省電力モードにある複数の前記表示手段を、前記通常モードに順次移行させる復帰手段と、
複数の前記表示手段を前記省電力モードに移行させる順序を設定する設定手段とを備え、
前記制御手段は、前記設定手段によって設定された順序にしたがって、複数の前記表示手段を前記省電力モードに移行させ、
前記操作手段は、複数の前記表示手段のうちの少なくとも１つの表示手段を含み、
前記設定手段は、前記システムに対する操作が優先されるように設定することにより前記順序を設定し、
前記制御手段は、複数の前記表示手段のうち、前記操作手段に含まれる表示手段以外の少なくとも１つの表示手段を最初に前記省電力モードに移行させ、
前記操作手段は、前記システムに省電力状態に移行するように指示する指示手段を含み、
前記制御手段は、前記システムに対する操作が優先されるように設定された状態で前記指示手段が操作されたことを受けて、複数の前記表示手段のうち、前記操作手段に含まれる表示手段以外の少なくとも１つの表示手段を最初に前記省電力モードに移行させ、
前記復帰手段はさらに、複数の前記表示手段のうちの少なくとも１つの表示手段が、前記通常モードにある状態で、前記指示手段が操作された場合、前記省電力モードにある表示手段を、前記通常モードに順次移行させることを特徴とするシステム。
【請求項２】
前記制御手段は、前記システムがジョブを実行中においても、複数の前記表示手段が前記通常モードにある状態で、前記操作手段が操作されないまま前記所定の時間が経過した場合、複数の前記表示手段を前記省電力モードに移行させることを特徴とする請求項１に記載のシステム。
【請求項３】
複数の前記表示手段のうちの少なくとも１つの表示手段は、前記システムの動作状態を表示する状態表示手段であり、
前記設定手段は、前記システムに対する操作が優先される設定から、前記システムの動作状態の表示が優先されるように設定を変更することにより前記順序を設定し、
前記制御手段は、複数の前記表示手段のうち最初に前記省電力モードに移行させる表示手段を、前記操作手段に含まれる表示手段以外の少なくとも１つの表示手段から、前記状態表示手段以外の少なくとも１つの表示手段に変更することを特徴とする請求項１に記載のシステム。
【請求項４】
前記省電力モードにある複数の前記表示手段を、前記通常モードに移行させる復帰順序を設定する復帰順序設定手段をさらに備えることを特徴とする請求項１に記載のシステム。
【請求項５】
前記復帰順序設定手段は、前記システムに対する操作が優先されるように設定することにより前記復帰順序を設定し、
前記復帰手段は、複数の前記表示手段のうち、前記操作手段に含まれる表示手段を最初に前記通常モードに移行させることを特徴とする請求項４に記載のシステム。
【請求項６】
複数の前記表示手段のうちの少なくとも１つの表示手段は、前記システムの動作状態を表示する状態表示手段であり、
前記復帰順序設定手段は、前記システムに対する操作が優先される設定から、前記システムの動作状態の表示が優先されるように設定を変更することにより前記復帰順序を設定し、
前記復帰手段は、複数の前記表示手段のうち、前記状態表示手段を最初に前記通常モードに移行させることを特徴とする請求項４に記載のシステム。
【請求項７】
複数の表示手段を備える画像処理装置であって、
前記画像処理装置に対する指示を入力する操作手段と、
前記表示手段が通常モードにある状態で、前記操作手段が操作されないまま所定の時間が経過した場合、複数の前記表示手段を、前記通常モードから、前記通常モードよりも電力消費が少ない省電力モードに、順次移行させる制御手段と、
複数の前記表示手段を前記省電力モードに移行させる順序を設定する設定手段と、
複数の前記表示手段が、前記省電力モードにある状態で、前記操作手段がタッチされた場合、前記省電力モードにある複数の前記表示手段を、前記通常モードに順次移行させる復帰手段とを備え、
複数の前記表示手段のうちの少なくとも１つの表示手段は、前記画像処理装置の動作状態を表示する状態表示手段であり、
前記操作手段は、複数の前記表示手段のうち、前記状態表示手段以外の少なくとも１つの表示手段を含み、
前記設定手段が、前記画像処理装置の操作が優先されるように設定することにより前記順序を設定している場合、前記制御手段は、複数の前記表示手段のうち、前記操作手段に含まれる表示手段以外の少なくとも１つの表示手段を最初に前記省電力モードに移行させ、
前記設定手段が、前記画像処理装置の動作状態の表示が優先されるように設定することにより前記順序を設定している場合、前記制御手段は、複数の前記表示手段のうち、前記状態表示手段以外の少なくとも１つの表示手段を最初に前記省電力モードに移行させ、
前記操作手段は、前記画像処理装置に省電力状態に移行するように指示する指示手段を含み、
前記制御手段は、前記画像処理装置の操作が優先されるように設定された状態で前記指示手段が操作されたことを受けて、複数の前記表示手段のうち、前記操作手段に含まれる表示手段以外の少なくとも１つの表示手段を最初に前記省電力モードに移行させ、
前記復帰手段はさらに、複数の前記表示手段のうちの少なくとも１つの表示手段が、前記通常モードにある状態で、前記指示手段が操作された場合、前記省電力モードにある表示手段を、前記通常モードに順次移行させることを特徴とする画像処理装置。
【請求項８】
前記画像処理装置の操作が優先されるように設定されている場合、前記復帰手段は、複数の前記表示手段のうち、前記操作手段に含まれる表示手段を最初に前記通常モードに移行させ、
前記画像処理装置の動作状態の表示が優先されるように設定されている場合、前記復帰手段は、複数の前記表示手段のうち、前記状態表示手段を最初に前記通常モードに移行させることを特徴とする請求項７に記載の画像処理装置。
【請求項９】
操作装置及び複数の表示装置を備えるシステムの制御方法であって、
複数の前記表示装置を、通常モードよりも電力消費が少ない省電力モードに移行させる順序を設定するステップと、
前記操作装置へのタッチにより前記システムに対する指示を受付けるステップと、
複数の前記表示装置が通常モードにある状態で、前記操作装置がタッチされないまま所定の時間が経過したか否かを判定するステップと、
前記所定の時間が経過したと判定された場合、複数の前記表示装置を、前記通常モードから、前記省電力モードに、順次移行させるステップと、
複数の前記表示装置が、前記省電力モードにある状態で、前記操作装置がタッチされた場合、前記省電力モードにある複数の前記表示装置を、前記通常モードに順次移行させるステップとを含み、
前記操作装置は、複数の前記表示装置のうちの少なくとも１つの表示装置を含み、
前記システムに対する操作が優先されるように、前記省電力モードに順次移行させる前記順序が設定されたことに応じて、前記省電力モードに順次移行させる前記ステップにおいて、複数の前記表示装置のうち、前記操作装置に含まれる表示装置以外の少なくとも１つの表示装置が最初に前記省電力モードに移行され、
前記操作装置に含まれ、且つ前記システムに省電力状態に移行するように指示する指示装置が、前記システムに対する操作が優先されるように設定された状態で操作されたことを受けて、複数の前記表示装置のうち、前記操作装置に含まれる表示装置以外の少なくとも１つの表示装置を最初に前記省電力モードに移行させるステップをさらに含み、
前記通常モードから、前記省電力モードに、順次移行させる前記ステップは、複数の前記表示装置のうちの少なくとも１つの表示装置が、前記通常モードにある状態で、前記指示装置が操作された場合、前記省電力モードにある表示装置を、前記通常モードに順次移行させるステップを含むことを特徴とする制御方法。
【請求項１０】
複数の前記表示装置が前記省電力モードにある状態で、前記操作装置がタッチされたか否かを判定するステップと、
複数の前記表示装置が前記省電力モードにある状態で、前記操作装置がタッチされたと判定された場合、前記省電力モードにある複数の前記表示装置を、前記通常モードに順次移行させるステップとをさらに含むことを特徴とする請求項９に記載の制御方法。
【発明の詳細な説明】
【技術分野】
【０００１】
本発明は、複数の表示装置を備えたシステム及び画像処理装置に関し、特に、効率的かつ効果的に各表示装置を省電力モードへ移行させることができ、表示装置による無駄な電力消費を抑制することができるシステム、画像処理装置、及びその制御方法に関する。
【背景技術】
【０００２】
１台のコンピュータに複数の表示装置（ＣＲＴモニタ、液晶ディスプレイ等）を接続したシステムが知られている。例えば、パソコンに接続される複数の表示装置、又は、液晶ディスプレイを複数枚組み合わせた大型マルチディスプレイシステムにおいては、従来に比べ、消費電力の少ない表示装置が普及しつつある。しかし、複数のモニタ又はディスプレイを同時に使用すれば、消費する電力量は依然として大きく、省電力の観点から課題が残っていた。これを解決するために、例えば下記特許文献１においては、複数のディスプレイを接続可能なコンピュータにおいて、所定の条件を満たしているディスプレイの動作モードを変更する技術が開示されている。具体的には、アクティブウィンドウ又はマウスポインタが表示されているディスプレイ以外のディスプレイの動作モードをオフ、サスペンド、又はスリープ状態にする。特許文献１によれば、複数のディスプレイの個別的な電源管理を行なうことで、無駄な電力消費を削減することができる。
【０００３】
近年、電子機器である画像処理装置の１種として、記録紙に画像を形成する画像形成装置（代表的にはコピー機）が普及している。画像処理装置の１種に、複合機（ＭＦＰ（ＭｕｌｔｉＦｕｎｃｔｉｏｎ  Ｐｅｒｉｐｈｅｒａｌ））がある。ＭＦＰは、コピー、プリント、ファクシミリ（以下、ファクシミリをＦＡＸとも記載する）、及びスキャナ等、複数の機能を備える。
【０００４】
ＭＦＰにおいては、表示装置として液晶パネルが使用されることが多い。ＭＦＰにおいては、操作及び設定を容易に行なうために、液晶表示パネルの表面に透過性のタッチパネルを重ねて配置した操作パネルが使用される。液晶表示パネル上に、ＭＦＰの状態を適時表示させ、その表示内容に応じてタッチ操作する（タッチパネルに指で触れる）ことで、ＭＦＰの動作を設定することができる。
【０００５】
省電力のために、コピー等のジョブ終了後、所定時間操作されなかった場合に、定着部への通電を遮断して無駄な電力消費を抑える機能を備えたＭＦＰも知られている。省電力状態になるときには、操作パネル（液晶表示パネル）もオフされる。
【先行技術文献】
【特許文献】
【０００６】
【特許文献１】特開２０００−１６３０３５号公報
【発明の概要】
【発明が解決しようとする課題】
【０００７】
例えば、２つの液晶タッチパネルを備えたＭＦＰを想定した場合、ＭＦＰを使用していない状態、つまり、ユーザの操作が終了してから所定時間経過した後は、一般に２つの液晶タッチパネルを共に待機状態から省電力状態へ移行させても問題は発生しない。しかし、一方の液晶タッチパネルがＭＦＰの操作専用に使用され、他方の液晶タッチパネル（単なる表示パネルでよい）がＭＦＰの動作状態の表示専用に使用されているようなＭＦＰでは、ユーザは、ＭＦＰを操作してジョブを実行させたい場合と、ＭＦＰで実行させているプリントジョブの動作状況を確認したい場合とでは、使用したいパネルが異なり、通常モードにおいて必ずしも両方のパネルがオンしている必要はない。その場合、常に両方のパネルをオンしておくことは、無駄に電力を消費することになる。また、ＭＦＰ自体が省電力モードであっても、所望のパネルを直ぐに利用できることが望ましい。
【０００８】
しかし、上記特許文献１では、アクティブウィンドウの位置、マウスポインタの位置の情報を用いて複数のディスプレイのモードを管理するので、その技術を直接ＭＦＰに適用することはできない。
【０００９】
したがって、本発明は、複数の表示装置を備え、効率的かつ効果的に各表示装置を省電力モードへ移行させることができ、表示装置による無駄な電力消費を抑制することができるシステム、画像処理装置及びその制御方法を提供することを目的とする。
【課題を解決するための手段】
【００１０】
上記の目的は、下記によって達成することができる。
【００１１】
即ち、本発明の第１の局面に係るシステムは、複数の表示部を備えるシステムであって、システムに対する指示を入力する操作部と、複数の表示部が通常モードにある状態で、操作部が操作されないまま所定の時間が経過した場合、複数の表示部を、通常モードから、通常モードよりも電力消費が少ない省電力モードに、順次移行させる制御部とを備える。
【００１２】
好ましくは、システムは、複数の表示部を省電力モードに移行させる順序を設定する設定部をさらに備え、制御部は、設定部によって設定された順序にしたがって、複数の表示部を省電力モードに移行させる。
【００１３】
より好ましくは、操作部は、複数の表示部のうちの少なくとも１つの表示部を含み、設定部は、システムに対する操作が優先されるように設定することにより順序を設定し、制御部は、複数の表示部のうち、操作部に含まれる表示部以外の少なくとも１つの表示部を最初に省電力モードに移行させる。
【００１４】
さらに好ましくは、複数の表示部のうちの少なくとも１つの表示部は、システムの動作状態を表示する状態表示部であり、設定部は、システムの動作状態の表示が優先されるように設定することにより順序を設定し、制御部は、複数の表示部のうち、状態表示部以外の少なくとも１つの表示部を最初に省電力モードに移行させる。
【００１５】
本発明の第２の局面に係るシステムは、複数の表示部を備えるシステムであって、システムに対する指示を入力する操作部と、複数の表示部が、通常モードよりも電力消費が少ない省電力モードにある状態で、操作部がタッチされた場合、省電力モードにある複数の表示部を、通常モードに順次移行させる復帰部とを備える。
【００１６】
好ましくは、システムは、省電力モードにある複数の表示部を、通常モードに移行させる順序を設定する復帰順序設定部をさらに備える。
【００１７】
より好ましくは、操作部は、複数の表示部のうちの少なくとも１つの表示部を含み、復帰順序設定部は、システムに対する操作が優先されるように設定することにより順序を設定し、復帰部は、複数の表示部のうち、操作部に含まれる表示部を最初に通常モードに移行させる。
【００１８】
さらに好ましくは、複数の表示部のうちの少なくとも１つの表示部は、システムの動作状態を表示する状態表示部であり、復帰順序設定部は、システムの動作状態の表示が優先されるように設定することにより順序を設定し、復帰部は、複数の表示部のうち、状態表示部を最初に通常モードに移行させる。
【００１９】
本発明の第３の局面に係る画像処理装置は、複数の表示部を備える画像処理装置であって、画像処理装置に対する指示を入力する操作部と、表示部が通常モードにある状態で、操作部が操作されないまま所定の時間が経過した場合、複数の表示部を、通常モードから、通常モードよりも電力消費が少ない省電力モードに、順次移行させる制御部と、複数の表示部を省電力モードに移行させる順序を設定する設定部とを備え、複数の表示部のうちの少なくとも１つの表示部は、画像処理装置の動作状態を表示する状態表示部であり、操作部は、複数の表示部のうち、状態表示部以外の少なくとも１つの表示部を含み、設定部が、画像処理装置の操作が優先されるように設定することにより順序を設定している場合、制御部は、複数の表示部のうち、操作部に含まれる表示部以外の少なくとも１つの表示部を最初に省電力モードに移行させ、設定部が、画像処理装置の動作状態の表示が優先されるように設定することにより順序を設定している場合、制御部は、複数の表示部のうち、状態表示部以外の少なくとも１つの表示部を最初に省電力モードに移行させる。
【００２０】
本発明の第４の局面に係る画像処理装置は、複数の表示部を備える画像処理装置であって、画像処理装置に対する指示を入力する操作部と、複数の表示部が、通常モードよりも電力消費が少ない省電力モードにある状態で、操作部がタッチされた場合、省電力モードにある複数の表示部を、通常モードに順次移行させる復帰部と、省電力モードにある複数の表示部を、通常モードに移行させる順序を設定する復帰順序設定部を備え、複数の表示部のうちの少なくとも１つの表示部は、画像処理装置の動作状態を表示する状態表示部であり、操作部は、複数の表示部のうち、状態表示部以外の少なくとも１つの表示部を含み、復帰順序設定部が、画像処理装置の操作が優先されるように設定することにより順序を設定している場合、復帰部は、複数の表示部のうち、操作部に含まれる表示部を最初に通常モードに移行させ、復帰順序設定部が、画像処理装置の動作状態の表示が優先されるように設定することにより順序を設定している場合、復帰部は、複数の表示部のうち、状態表示部を最初に通常モードに移行させる。
【００２１】
本発明の第５の局面に係る制御方法は、操作装置及び複数の表示装置を備えるシステムの制御方法であって、操作装置へのタッチによりシステムに対する指示を受付けるステップと、複数の表示装置が通常モードにある状態で、操作装置がタッチされないまま所定の時間が経過したか否かを判定するステップと、所定の時間が経過したと判定された場合、複数の表示装置を、通常モードから、通常モードよりも電力消費が少ない省電力モードに、順次移行させるステップとを含む。
【００２２】
本発明の第６の局面に係る制御方法は、操作装置及び複数の表示装置を備えるシステムの制御方法であって、操作装置へのタッチによりシステムに対する指示を受付けるステップと、複数の表示装置が、通常モードよりも電力消費が少ない省電力モードにある状態で、操作装置がタッチされたか否かを判定するステップと、操作装置がタッチされたと判定された場合、省電力モードにある複数の表示装置を、通常モードに順次移行させるステップとを含む。
【発明の効果】
【００２３】
本発明によれば、複数の表示装置の各々を、効率的かつ効果的に省電力モードへ移行させることができ、表示装置による無駄な電力消費を抑制することができる。
【００２４】
また、操作装置が所定の時間操作されなかった場合に、表示装置を省電力モードに移行させることにより、システム又は画像処理装置自体が稼働中（ジョブを実行中）であっても、表示装置による無駄な電力消費を抑制することができる。
【００２５】
また、省電力モードにある表示装置を、全て一度に復帰させるのではなく、順次復帰させることにより、表示装置による無駄な電力消費をさらに抑制することができる。
【００２６】
また、操作を優先するか又は状態の表示を優先するかによって、複数の表示装置の各々が省電力モードに移行する順序、又は、省電力モードから通常モードに復帰する順序を設定する場合、システム又は画像処理装置が使用される状況に応じて、適切に無駄な電力消費を抑制することができる。
【図面の簡単な説明】
【００２７】
【図１】本発明の実施の形態に係る画像処理装置の構成を示すブロック図である。
【図２】本発明の実施の形態に係る画像処理装置の操作部及び表示部を示す図である。
【図３】本発明の実施の形態に係る画像処理装置の複数の表示パネルのモードを制御するプログラムの制御構造を示すフローチャートである。
【図４】図３に示した復帰処理の制御構造を示すフローチャートである。
【図５】設定画面の一例を示す図である。
【発明を実施するための形態】
【００２８】
以下の実施の形態では、同一の部品には同一の参照番号を付してある。それらの名称及び機能も同一である。したがって、それらについての詳細な説明は繰返さない。
【００２９】
本発明の実施の形態に係る画像処理装置は、コピー機能、プリンタ機能、スキャナ機能、及びファクシミリ機能等の複数の機能を備えたＭＦＰである。画像処理装置は、画像処理装置自体の稼働状況に応じて、又は、予め設定されたスケジュールにしたがって内部の通電状態を変化させる機能を備えており、通常の状態（以下、通常モードともいう）よりも電力消費を抑えた省電力状態（以下、省電力モードともいう）を実現する。
【００３０】
図１を参照して、本実施の形態に係る画像処理装置１００は、原稿読取部１１８、画像形成部１２０、画像処理部１２２、画像メモリ１２４、操作部１３０、表示部１３６、給紙部１４０を備えている。操作部１３０は、操作パネル１３２及び操作キー部１３４を備えている。操作パネル１３２は、液晶パネル等で構成された表示パネルと、表示パネルの上に配置され、タッチされた位置を検出するタッチパネルとを含む。操作キー部１３４には、図示しないいくつかの機能キーが配置される。表示部１３６は、液晶パネル等で構成された表示パネルである。
【００３１】
画像処理装置１００は、画像処理装置１００全体を制御する制御部（以下、ＣＰＵという）１０２と、プログラム等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像処理装置１００の動作を制御するのに必要なプログラム及びデータが記憶されている。
【００３２】
画像処理装置１００はさらに、タイマ１１０、ＦＡＸ通信部１１２、ネットワークＩ／Ｆ１１４、及びバス１１６を備えている。ＣＰＵ１０２、ＲＯＭ１０４、ＲＡＭ１０６、ＨＤＤ１０８、ＦＡＸ通信部１１２、ネットワークＩ／Ｆ１１４、原稿読取部１１８、画像形成部１２０、画像処理部１２２、画像メモリ１２４、操作部１３０、表示部１３６、及び給紙部１４０は、バス１１６に接続されている。各部間のデータ（制御情報を含む）交換は、バス１１６を介して行なわれる。ＣＰＵ１０２は、バス１１６を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像処理装置１００を構成する各部の制御を行ない、画像処理装置１００の各機能を実現する。
【００３３】
タイマ１１０は、ＣＰＵ１０２に現在時刻を提供する。
【００３４】
ＦＡＸ通信部１１２は、外部の公衆電話回線１８０に接続され、画像処理装置１００が公衆電話回線１８０を介して外部装置とＦＡＸ通信するためのインターフェイスであるＦＡＸモデムを備えている。
【００３５】
ネットワークＩ／Ｆ１１４は、外部のネットワーク１８２に接続され、画像処理装置１００がネットワーク１８２を介して外部装置と通信するためのインターフェイスであって、例えばＮＩＣ（Ｎｅｔｗｏｒｋ  Ｉｎｔｅｒｆａｃｅ  Ｃａｒｄ）を備えている。
【００３６】
原稿読取部１１８は、画像を読取るためのＣＣＤ（Ｃｈａｒｇｅ  Ｃｏｕｐｌｅｄ  Ｄｅｖｉｃｅ：電荷結合素子）と、原稿台、自動原稿送り装置（ＡＤＦ）等にセットされた原稿を検知する原稿検知センサとを備え、原稿を読取って画像データを入力する。画像データは画像メモリ（図示せず）に一時的に記憶される。画像処理部１２２は、読取った画像データに対して、種々の画像処理を実行する。
【００３７】
画像形成部１２０は、画像データを記録紙に印刷する。画像データは、必要に応じてＨＤＤ１０８に記憶される。給紙部１４０は画像形成用の記録紙を保持する。
【００３８】
操作部１３０は、ユーザによる画像処理装置１００に対する指示等の入力を受付ける。図２を参照して、操作パネル１３２には、画像処理装置１００に対して種々の操作（条件設定等を含む）を行なうためのキーが表示される。操作パネル１３２に表示される画像は、画面生成部（図示せず）によって生成される。操作パネル１３２の表示パネルに表示されたキーを、表示パネルに重ねられたタッチパネル上で選択する（タッチパネル上の該当部分にタッチする）ことによって、画像処理装置１００の機能設定等を行なうことができる。操作キー部１３４には、スタートキー、全解除（ＣＡ）キー、及び節電キー１３８を備えている。スタートキーは、画像処理装置１００にジョブを開始させるためのキーである。全解除キーは、全ての設定を解除するためのキーである。節電キー１３８は、画像処理装置１００を通常モードから省電力モードに移行させるため、又は、省電力モードから通常モードに復帰させるためのキーである。表示部１３６には、画像処理装置１００の状態及びジョブの処理状況等が表示される。表示部１３６の左上隅に、画像処理装置の状態を示すメッセージ「コピーできます」が表示されている。表示部１３６の中央には、画像処理装置のイラストに重ねて給紙部１４０が保持している記録紙の種類が表示されている。表示部１３６の下部に、ユーザが設定したジョブの実行状況が表示されている。
【００３９】
ＣＰＵ１０２は、操作部１３０に設けられた操作パネル１３２、入力キー等に対するユーザの操作を監視すると共に、表示部１３６に画像処理装置１００の状態に関する情報、及びユーザに通知すべき情報等を表示する。
【００４０】
以下、画像処理装置１００が搭載している機能（コピー機能、プリンタ機能、スキャナ機能、及びファクシミリ機能）を実行する各モードについて簡単に説明する。
【００４１】
（コピーモード）
画像処理装置１００を複写機として利用する場合には、原稿読取部１１８によって読取られた原稿の画像データが、画像形成部１２０から複写物として出力される。
【００４２】
原稿読取部１１８に装備されたＣＣＤにより、読取位置にセットされた原稿の画像を電子的に読取ることができる。読取られた画像データは、画像メモリ１２４上に出力データ（印刷用データ）として完成された後、ＨＤＤ１０８に記憶される。原稿が複数ある場合には、この読取り動作及び記憶動作が繰返される。その後、操作部１３０を介して指示された処理モードに基づいて、ＨＤＤ１０８に記憶された画像データが適切なタイミングで順次読出されて画像メモリ１２４に送られる。そして、画像形成部１２０での画像形成のタイミングに合わせて、画像データは画像形成部１２０へと伝送される。
【００４３】
読取った画像データを複数枚印刷する場合にも、同様に出力データとしてページ単位でＨＤＤ１０８に記憶され、ＨＤＤ１０８から画像メモリ１２４に送られ、出力枚数の分だけ繰返し、画像形成のタイミングに合わせて画像形成部１２０へ伝送される。
【００４４】
給紙部１４０では、記録紙がピックアップローラによって引き出され、複数の搬送用ローラによって、画像形成部１２０まで搬送される。画像形成部１２０では、帯電された感光体ドラムを入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写させる。その後、記録紙は加熱及び加圧され（これにより記録紙に画像が定着する）、排紙トレイ１５２に排出される。
【００４５】
（プリンタモード）
画像処理装置１００をプリンタとして利用する場合には、ネットワークＩ／Ｆ１１４を介して受信した画像データが画像メモリ１２４等を介して画像形成部１２０から出力される。
【００４６】
ネットワークＩ／Ｆ１１４は、ネットワーク１８２に接続されたコンピュータ等の端末装置（図示せず）から画像データを受信する。受信された画像データは、出力画像データとしてページ単位に画像メモリ１２４に送られた後、ＨＤＤ１０８に記憶される。その後、画像データは、再びＨＤＤ１０８から画像メモリ１２４に送られ、上記したコピーモードと同様に画像形成部１２０へと伝送され、画像形成が行なわれる。
【００４７】
（スキャナモード）
画像処理装置１００を、例えばネットワークスキャナとして利用する場合には、原稿読取部１１８において読取られた原稿の画像データを、ネットワークＩ／Ｆ１１４からネットワーク１８２を介して端末装置へ送信する。この場合にも、原稿読取部１１８に装備されたＣＣＤにより原稿を電子的に読取る。そして、読取られた原稿の画像データは、画像メモリ１２４上に出力データとして完成された後、ＨＤＤ１０８に記憶される。その後、画像データは、再びＨＤＤ１０８から画像メモリ１２４に送られ、操作部１３０を介して指定された送信先との通信を確立した上で、ネットワークＩ／Ｆ１１４から、指示された送信先へと送信される。
【００４８】
（ファクシミリモード）
画像処理装置１００は、ＦＡＸ通信部１１２及び公衆電話回線１８０を介して外部のファクシミリ装置とＦＡＸ送受信することができる。
【００４９】
画像処理装置１００をファクシミリ装置として使用する場合、ファクシミリ装置からＦＡＸ受信したデータを、画像データとして画像メモリ１２４上に形成し、上記と同様に、ＨＤＤ１０８への記憶、画像形成部１２０による印刷を実行することができる。また、画像処理装置１００は、ＨＤＤ１０８から画像データを読出して、ＦＡＸ通信用のデータ形式に変換して、ＦＡＸ通信部１１２及び公衆電話回線１８０を介して外部のファクシミリ装置に送信することができる。
【００５０】
以下、図３及び図４を参照して、画像処理装置１００のＣＰＵ１０２が実行する、操作パネル１３２の表示パネル及び表示部１３６の表示パネル（以下、２枚の表示パネルともいう）のオン／オフを制御するプログラムの制御構造に関して具体的に説明する。
【００５１】
画像処理装置１００の２枚の表示パネルを通常モードから省電力モードに移行させる順序に関しては、図５に示すように、システム設定画面において予め管理者によって設定され、ＨＤＤ１０８に、例えばフラグとして記憶されているとする。デフォルトでは、２枚の表示パネルを省電力モードに移行させる順序は、表示優先の場合には、操作部１３０、表示部１３６の順でオフする。また、操作優先の場合には、表示部１３６、操作部１３０の順でオフする。例えば、フラグは“０”又は“１”に設定され、フラグが“０”の場合、表示優先に設定され、フラグが“１”の場合、操作優先に設定されているとする。また、ＨＤＤ１０８には、後述する第１〜第３移行時間が記憶されている。
【００５２】
画像処理装置１００の電源がオンされた場合、通常のウォームアップ動作を実行した後、操作を受付けて、指示されたジョブを実行可能になる。その後、ステップ４００においてＣＰＵ１０２は、２枚のパネルを省電力モードに移行させるまでの時間（第１移行時間）を、ＨＤＤ１０８から読出す。また、ＣＰＵ１０２は、タイマ１１０から現在時刻を取得する。
【００５３】
ステップ４０２において、ＣＰＵ１０２は、操作部１３０に対する操作があったか否かを判定する。何らかの操作があったと判定された場合、制御はステップ４０４に移行する。そうでなければ、制御はステップ４０６に移行する。
【００５４】
ステップ４０４において、ＣＰＵ１０２は、ステップ４０２で検知した操作が節電キー１３８の押下であるか否かを判定する。節電キー１３８が押下されたと判定された場合、制御はステップ４１０に移行する。そうでなければ、制御はステップ４０８に移行する。
【００５５】
ステップ４０８において、ＣＰＵ１０２は、ステップ４０２で検知した操作に対応する処理を実行してステップ４００に戻る。操作部１３０の操作によって、上記した各モード（コピーモード、スキャナモード、ファクシミリモード等）の実行、各モードの条件設定等の処理が実行される。
【００５６】
操作部１３０に対する操作がなければ、ステップ４０６において、ＣＰＵ１０２は、タイマ１１０から現在時刻を取得して、ステップ４００でタイマ１１０から取得した時刻情報から、第１移行時間が経過したか否かを判定する。経過したと判定された場合、制御はステップ４１０に移行する。そうでなければ、制御はステップ４０２に戻る。
【００５７】
ステップ４１０において、ＣＰＵ１０２は、ＨＤＤ１０８から、２枚の表示パネルに関する省電力モードの設定を読出し、表示優先であるか否かを判定する。具体的には、ＨＤＤ１０８からフラグを読出し、フラグが“０”であるか否かを判定する。表示優先（フラグが“０”）であれば、制御はステップ４１２に移行する。そうでなければ（フラグが“１”）、制御はステップ４１４に移行する。
【００５８】
ステップ４１２において、ＣＰＵ１０２は、操作パネル１３２の表示パネルをオフする。具体的には、操作パネル１３２を構成する表示パネルのドライバ回路に、表示をオフさせる制御信号を出力する。操作パネル１３２が表示パネルとして液晶パネルを備えていれば、液晶パネルのバックライトをオフするように、液晶パネルのドライバ回路に制御信号を出力する。
【００５９】
ステップ４１４において、ＣＰＵ１０２は、表示部１３６の表示パネルをオフする。具体的には、表示部１３６の表示パネルのドライバ回路に、表示をオフさせる制御信号を出力する。表示部１３６が表示パネルとして液晶パネルを備えていれば、液晶パネルのバックライトをオフするように、液晶パネルのドライバ回路に制御信号を出力する。
【００６０】
ステップ４１６において、ＣＰＵ１０２は、ＨＤＤ１０８から、次に表示パネルを省電力モードに移行させるまでの時間（第２移行時間）を、ＨＤＤ１０８から読出す。また、ＣＰＵ１０２は、タイマ１１０から現在時刻を取得する。
【００６１】
ステップ４１８において、ＣＰＵ１０２は、タイマ１１０から現在時刻を取得して、ステップ４１６でタイマ１１０から取得した時刻情報から、第２移行時間が経過したか否かを判定する。経過したと判定された場合、制御はステップ４２０に移行する。そうでなければ、ステップ４１８の処理が繰返される。
【００６２】
ステップ４２０において、ＣＰＵ１０２は、２枚の表示パネルのうち、オンされている表示パネルをオフする。具体的には、表示優先であれば、ＣＰＵ１０２は、表示部１３６の表示パネルのドライバ回路に、表示をオフさせる制御信号を出力する。操作優先であれば、ＣＰＵ１０２は操作パネル１３２の表示パネルのドライバ回路に、表示をオフさせる制御信号を出力する。
【００６３】
以上によって、省電力モードでない通常モードにおいて、操作部１３０に対して何も操作がなされないまま、所定の時間（第１移行時間）が経過すれば、２枚の表示パネルの一方の表示パネルをオフし、さらに所定の時間（第２移行時間）が経過すれば、２枚の表示パネルの残りの表示パネルをオフして、２枚の表示パネルを完全に省電力モードに移行する。したがって、これらの表示パネルによる無駄な電力消費を抑えることができる。
【００６４】
なお、画像処理装置１００の待機モード（通常モードのうち、ジョブが実行されておらず、操作部に対する操作もされていない状態）において、節電キーが押下された場合、画像処理装置１００自体が省電力モードに移行するので、２枚の表示パネルも上記のように省電力モードに移行する。節電キーが押下されずに、所定の時間（第１及び第２移行時間）が経過した場合にも、２枚の表示パネルは省電力モードに移行するが、このとき画像処理装置１００自体は必ずしも省電力モードには移行しない。ここでは、２枚の表示パネルによる無駄な電力消費を抑制することが目的であるので、２枚の表示パネルを省電力モードに移行させる条件（移行時間）は、時間経過によって画像処理装置１００自体を省電力モードに移行させる条件（移行時間）とは必ずしも同じではない。
【００６５】
したがって、時間経過のみによって２枚の表示パネルを省電力モードに移行させるか否かは、画像処理装置１００自体の状態に関係なく行なわれる。即ち、画像処理装置１００が待機モードでなく、ジョブを実行中（例えば、プリントジョブを実行中）であっても、操作部１３０が所定の時間操作されなかった場合には、２枚の表示パネルは省電力モードに移行する。
【００６６】
その後、ステップ４２２において、ＣＰＵ１０２は、操作部１３０の操作パネル１３２がタッチされたか否かを判定する。タッチされたと判定された場合、制御はステップ４２６に移行する。そうでなければ、制御はステップ４２４に移行する。
【００６７】
ステップ４２４において、ＣＰＵ１０２は、節電キー１３８が押下されたか否かを判定する。押下されたと判定された場合、制御はステップ４２６に移行する。そうでなければ、制御はステップ４２２に戻る。
【００６８】
ステップ４２６において、ＣＰＵ１０２は、２枚の表示パネルを、省電力モードから通常モードに復帰させるために復帰処理を実行する。復帰処理は、具体的には図４に示されている。
【００６９】
図４を参照して、ステップ５００において、ＣＰＵ１０２は、操作パネル１３２の表示パネルをオンして通常モードに移行させる。具体的には、操作パネル１３２の表示パネルのドライバ回路に、表示をオンさせる制御信号を出力する。
【００７０】
ステップ５０２において、ＣＰＵ１０２は、表示部１３６の表示パネルを通常モードに復帰させるまでの時間（第３移行時間）を、ＨＤＤ１０８から読出す。また、ＣＰＵ１０２は、タイマ１１０から現在時刻を取得する。
【００７１】
ステップ５０４において、ＣＰＵ１０２は、タイマ１１０から現在時刻を取得して、ステップ５０２でタイマ１１０から取得した時刻情報から、第３移行時間が経過したか否かを判定する。経過したと判定された場合、制御はステップ５０６に移行する。そうでなければ、ステップ５０４が繰返される。
【００７２】
ステップ５０６において、ＣＰＵ１０２は、表示部１３６の表示パネルをオンする。具体的には、表示部１３６の表示パネルのドライバ回路に、表示をオンさせる制御信号を出力する。その後、制御は図４のステップ４００に戻る。
【００７３】
以上によって、操作パネル１３２の表示パネル及び表示部１３６の表示パネルは省電力モードから通常モードに復帰する。
【００７４】
なお、上記したように、第１及び第２移行時間が経過して２枚の表示パネルが省電力モードに移行しても、画像処理装置１００自体は省電力モードに移行するわけではない。したがって、時間経過によって２枚の表示パネルが省電力モードに移行した場合には、ステップ４２４で節電キー１３８が押下されても、ＣＰＵ１０２は、画像処理装置１００自体のモード（通常モード又は省電力モード）を維持する。節電キー１３８が押下されて２枚の表示パネルが省電力モードに移行した場合には、ステップ４２４で節電キー１３８が押下された場合、ＣＰＵ１０２は、画像処理装置１００自体のモードを通常モードに復帰させる。
【００７５】
なお、２枚の表示パネルの配置は任意である。図２に示したように上下に配置する場合に限らず、左右に配置してもよい。操作パネル１３２は、ユーザが画像処理装置１００を操作し易い位置に配置することが好ましいが、表示部１３６の表示パネルは、視認できればよいので、操作パネル１３２の近傍に配置されなくてもよい。
【００７６】
また、上記では、画像処理装置１００が２枚の表示パネルを備える場合を説明したが、３枚以上の表示パネルを備えていてもよい。例えば、操作パネル１３２と、表示部１３６とに加えて、ヘルプ情報を表示する表示パネルを備えていてもよい。そのような場合にも、上記と同様に、３枚以上の表示パネルの役割に応じて、所定の時間が経過する毎に、１枚ずつ順に表示パネルをオフすれればよい。通常モードに復帰させる場合にも、３枚以上の表示パネルの役割に応じて、所定の時間が経過する毎に、１枚ずつ順に表示パネルをオンすればよい。
【００７７】
また、３枚以上の表示パネルを省電力モードに移行させる場合、表示パネルの役割によっては、２枚の表示パネルを同時にオフしてもよい。例えば、操作パネル１３２と、画像処理装置１００の状態を表示する表示パネルと、ヘルプ情報を表示する表示パネルとを備えている場合、表示優先に設定されているときには、最初に、操作パネル１３２とヘルプ情報を表示する表示パネルとを同時にオフしてもよい。また、操作優先に設定されているときには、最初に、画像処理装置１００の状態を表示する表示パネルとヘルプ情報を表示する表示パネルとを同時にオフしてもよい。
【００７８】
また、図３及び図４の処理は、適宜変更して実行することができる。例えば、上記のステップ４１６の後、ステップ４２０が実行される前までに、節電キー１３８が押下される可能性があるので、節電キー１３８が押下されたか否かを判定して、押下された場合に、ステップ４１２又はステップ４１４でオフされた表示パネルをオンするようにしてもよい。
【００７９】
また、上記では、復帰させるときに、操作パネル１３２を最初にオンする場合を説明したが、表示部１３６を最初に復帰させてもよい。また、表示部１３６にタッチセンサ（タッチパネルを含む）が装備されている場合には、操作パネル１３２及び表示部１３６の何れがタッチされたかを検出し、タッチされた方の表示パネルからオンするようにしてもよい。
【００８０】
復帰させる順序は、システム設定として予め設定されていてもよい。例えば、操作優先に設定されていれば、操作パネル１３２から復帰させ、表示優先に設定されていれば、表示部１３６から復帰させようにすることができる。
【００８１】
復帰させる場合、複数の表示パネルを同時にオンするのではなく、上記のように時間をおいて順次オンするのは、画像処理装置が省電力モードから復帰するまでに１分程度の時間がかり、その間操作できないので、その間にも表示をオフしておくことで少しでも電力消費を抑制するためである。
【００８２】
また、復帰させる場合、順次全ての表示パネルを復帰させるのではなく、ユーザの操作に必要な表示パネルのみ復帰させ、ユーザの操作内容と関係しない表示パネルはオフしたままにしてもよい。
【００８３】
また、上記の第１〜第３移行時間は、適宜設定することができる。例えば、画像処理装置が使用される状況に応じて、システム設定画面等で管理者が設定できるようにすることが好ましい。
【００８４】
また、操作部及び表示部の省電力モードとは、液晶パネルのバックライトがオフされた状態に限定されず、通常モードよりも電力消費が低減された状態であればよい。
【００８５】
また、上記の実施の形態では、画像処理装置について説明したが、本発明は、画像処理装置に適用する場合に限定されず、一般的なシステムに適用することができる。即ち、複数の表示装置を備えたシステムであって、少なくとも１つの表示装置が、システムに対する操作装置を構成し、別の少なくとも１つの表示装置が、システムの動作状態を表示する装置であればよい。
【００８６】
以上、実施の形態を説明することにより本発明を説明したが、上記した実施の形態は例示であって、本発明は上記した実施の形態に限定されるものではなく、種々変更して実施することができる。
【符号の説明】
【００８７】
１００    画像処理装置
１０２    制御部（ＣＰＵ）
１０４    ＲＯＭ
１０６    ＲＡＭ
１０８    ＨＤＤ
１１０    タイマ
１１２    ＦＡＸ通信部
１１４    ネットワークＩ／Ｆ
１１６    バス
１１８    原稿読取部
１２０    画像形成部
１２２    画像処理部
１２４    画像メモリ
１３０    操作部
１３２    操作パネル
１３４    操作キー部
１３６    表示部
１４０    給紙部
【図１】
0005199428.tif 000002
【図２】
0005199428.tif 000003
【図３】
0005199428.tif 000004
【図４】
0005199428.tif 000005
【図５】
0005199428.tif 000006